(57)【要約】【課題】複数のジョイントコネクタを連結した状態でワイヤハーネス上に搭載できるようにする。【解決手段】ハウジング内にジョイントバスバーを収容した複数のジョイントコネクタを電線挿入方向の縦方向に順次連結する連結ジョイントコネクタであり、前記ハウジングは、一方側に開口した複数の端子収容室を並列に設けている本体部と、該本体部の他方側に電線引出部を介して突設した両側連結枠と、該両側連結枠に設けたロック部と、該ロック部とロック結合するために前記本体部の外面に設けた被ロック部を備えた形状とし、連結する一方のジョイントコネクタの前記両側連結枠の間に他方のハウジングの本体部を挿入して前記一方のジョイントコネクタのロック部に被ロック部を結合して連結し、かつ、該他方のジョイントコネクタに接続した電線を前記電線引出部から外方へ引き出す構成としている。【選択図】図２
2013037819.tif 000002
【特許請求の範囲】
【請求項１】
ハウジング内にジョイントバスバーを収容した複数のジョイントコネクタを電線挿入方向の縦方向に順次連結する連結ジョイントコネクタであり、
前記ハウジングは、一方側に開口した複数の端子収容室を並列に設けている本体部と、該本体部の他方側に電線引出部を介して突設した両側連結枠と、該両側連結枠に設けたロック部と、該ロック部とロック結合するために前記本体部の外面に設けた被ロック部を備えた形状とし、
連結する一方のジョイントコネクタの前記両側連結枠の間に他方のハウジングの本体部を挿入して前記一方のジョイントコネクタのロック部に被ロック部を結合して連結し、かつ、該他方のジョイントコネクタに接続した電線を前記電線引出部から外方へ引き出す構成としていることを特徴とする連結ジョイントコネクタ。
【請求項２】
前記連結するジョイントコネクタは同一形状とした前記ハウジング内にジョイントバスバーを収容し、該ジョイントバスバーはジョイント部から反対方向に電線接続用の端子とジョイントバスバー接続用の端子を突設し、前記連結する一方のジョイントコネクタのジョイントバスバー接続用の端子と他方のジョイントコネクタの電線接続用の端子を嵌合接続できる構成としている請求項１に記載の連結ジョイントコネクタ。
【請求項３】
前記各ジョイントコネクタのハウジング内に同一形状とした１つのジョイントバスバーを収容し、連結する前記ジョイントコネクタの前記ジョイントバスバーも順次接続し、連結するジョイントコネクタに接続する全電線を一つの回路にジョイント接続する構成としている請求項１または請求項２に記載の連結ジョイントコネクタ。
【請求項４】
１つのジョイントコネクタのハウジング内に収容するジョイントバスバーを１本または複数本に分割し、複数のジョイントグループに分割して電線をジョイント接続できる構成としている請求項１または請求項２に記載の連結ジョイントコネクタ。
【発明の詳細な説明】
【技術分野】
【０００１】
本発明は連結ジョイントコネクタに関し、詳しくは、車両に配索されるワイヤハーネスを構成する電線をジョイントするもので、特に、複数のジョイントコネクタを効率よく連結配置出来るようにするものである。
【背景技術】
【０００２】
この種のワイヤハーネスの電線に接続されるジョイントコネクタを複数連結したものとして、特開平９−２３７６６８号公報（特許文献１）で図１０（Ａ）（Ｂ）に示す同種のジョイントコネクタ１００Ａと１００Ｂとを並列させ、カバー１０２を用いて横方向に連結する連結型ジョイントコネクタ１００が提案されている。各ジョイントコネクタ１００Ａ、１００Ｂにはワイヤハーネスを構成する複数の電線端末を接続した相手型コネクタ１０１Ａ、１０１Ｂをそれぞれ嵌合接続させる。電線端末に接続されている端子ｔ１をジョイントコネクタ１００Ａ、１００Ｂ内に収容しているジョイントバスバー１１０Ａ、１１０Ｂから分岐した端子ｔ２にそれぞれ嵌合し、各相手型コネクタ１０１Ａ、１０１Ｂの複数の電線同士を接続している。
【０００３】
前記特許文献１ではジョイントコネクタ１００Ａと１００Ｂとを並列状態で連結しているが、図１１（Ａ）に示すように複数のジョイントコネクタ１２０Ａ〜１２０Ｄを上下に積層して連結する場合もある。さらに、図１１（Ｂ）に示すように、ジョイントコネクタ１３０は１つであるが、該ジョイントコネクタ１３０の両面に相手方コネクタ１４０Ａ、１４０Ｂを接続する場合もある。
【先行技術文献】
【特許文献】
【０００４】
【特許文献１】特開平９−２３７６６８号公報
【発明の概要】
【発明が解決しようとする課題】
【０００５】
前記特許文献１の連結ジョイントコネクタでは、複数のジョイントコネクタを並列に連結するため、連結ジョイントコネクタの横幅が広くなり、電線接続方向と直交方向の幅が大きくなる。これらの連結ジョイントコネクタをワイヤハーネスの幹線上に搭載する場合、幹線の外径より連結ジョイントコネクタの横幅が大となって、ワイヤハーネスの幹線より連結ジョイントコネクタが外方へ飛び出して使用できなくなる。よって、該連結ジョイントコネクタはワイヤハーネス上ではなく車体フレーム等の車載上に限定されることになる。
【０００６】
また、図１１（Ａ）に示す上下積層状態で連結する場合も、ワイヤハーネス上に連結ジョイントコネクタを安定して搭載できず、車体等の車載上に限定される。
また、図１１（Ｂ）に示すジョイントコネクタの両面に相手方コネクタを接続する場合は、ワイヤハーネス上に搭載可能となるが、ジョイントできる電線本数が限定され、多数の電線をジョイントする場合には不適となる。
【０００７】
本発明は前記問題に鑑みてなされたもので、複数のジョイントコネクタを縦方向に連結する連結方式を採用してワイヤハーネス上にも搭載可能とし、かつ、同一回路に接続する電線本数の増減に対応できるようにした連結ジョイントコネクタを提供することを主たる課題としている。
さらに、１つのジョイント回路のみでなく、別グループの複数のジョイント回路も形成できる連結ジョイントコネクタを提供することを従たる課題としている。
【課題を解決するための手段】
【０００８】
前記課題を達成するため、本発明は、ハウジング内にジョイントバスバーを収容した複数のジョイントコネクタを電線挿入方向の縦方向に順次連結する連結ジョイントコネクタであり、
前記ハウジングは、一方側に開口した複数の端子収容室を並列に設けている本体部と、該本体部の他方側に電線引出部を介して突設した両側連結枠と、該両側連結枠に設けたロック部と、該ロック部とロック結合するために前記本体部の外面に設けた被ロック部を備えた形状とし、
連結する一方のジョイントコネクタの前記両側連結枠の間に他方のハウジングの本体部を挿入して前記一方のジョイントコネクタのロック部に被ロック部を結合して連結し、かつ、該他方のジョイントコネクタに接続した電線を前記電線引出部から外方へ引き出す構成としていることを特徴とする連結ジョイントコネクタを提供している。
【０００９】
ジョイントコネクタのハウジングを前記形状とすると、電線挿入方向の縦方向に複数のジョイントコネクタを連結することができる。このように、連結ジョイントコネクタを細長い形状にできるため、ワイヤハーネス上に搭載して粘着テープを巻き付けて取り付けることができる。かつ、連結するジョイントコネクタの個数は限定されず、順次縦列に連結していくことができるため、ジョイント接続する電線本数に応じて柔軟に対応できる。
【００１０】
前記連結するジョイントコネクタは同一形状とした前記ハウジング内にジョイントバスバーを収容し、該ジョイントバスバーはジョイント部から反対方向に電線接続用の端子とジョイントバスバー接続用の端子を突設し、前記連結する一方のジョイントコネクタのジョイントバスバー接続用の端子と他方のジョイントコネクタの電線接続用の端子を嵌合接続できる構成としている。
【００１１】
前記のように、ハウジング内に収容するジョイントバスバーに電線接続用の端子とジョイントバスバー接続用の端子をジョイント部から反対方向に突設しておくと、連結するジョイントコネクタのジョイントバスバーを接続する必要がある場合に簡単に接続することができ、ジョイント接続する電線の本数に対応させることができる。
【００１２】
前記各ジョイントコネクタのハウジング内に同一形状とした１つのジョイントバスバーを収容し、連結するジョイントコネクタの前記ジョイントバスバーも順次接続し、連結するジョイントコネクタに接続する全電線を一つの回路にジョイント接続する構成としてもよい。
【００１３】
あるいは、複数のジョイントグループに分割して電線をジョイント接続できるように、１つのジョイントコネクタのハウジング内に収容するジョイントバスバーを１本または複数本に分割してもよい。
例えば、第１ジョイントコネクタ内には１本の第１ジョイントバスバーを収容し、該第１ジョイントコネクタと連結する第２ジョイントコネクタ内に第２ジョイントバスバーと第３ジョイントバスバーを収容し、第２ジョイントバスバーは前記第１ジョイントバスバーと接続し、第３ジョイントバスバーは第２ジョイントコネクタと連結する第３ジョイントコネクタ内の第４ジョイントバスバーと接続する。これを順次繰り返すことで、複数のジョイントグループを連結ジョイントコネクタで形成することができる。
このように、ジョイントする電線本数およびジョイントグループの個数の増減にも対応することができる。
【００１４】
前記ジョイントコネクタのハウジングには１列に端子収容室を並設してもよいし、上下複数段で端子収容室を設けてもよい。上下複数段の端子収容室に対しては、ジョイントバスバーのジョイント部から上下複数段で突設した電線接続用の端子を挿入している。
【発明の効果】
【００１５】
前記のように、本発明の連結ジョイントコネクタは、ジョイントコネクタへの電線の挿入方向に沿った縦方向に順次ジョイントコネクタを接続できる構成としているため、この縦列結合する連結ジョイントコネクタは全体として細長い外形となる。よって、連結ジョイントコネクタの設置スペースを広くとらず、ワイヤハーネス上に搭載が可能となり、ワイヤハーネス上に搭載した連結ジョイントコネクタをワイヤハーネスに粘着テープで巻き付けて容易に取り付けることができる。
【００１６】
また、ジョイントする電線本数に応じて、縦方向に順次連結するジョイントコネクタの個数を調整すればよく、使い勝手がよくなる。さらに、順次連結するジョイントコネクタ内に収容するジョイントバスバーの接続と非接続とを任意に選択でき、連結ジョイントコネクタに接続する全電線を１つの回路にジョイントすることが出来ると共に、複数のジョイントグループに分けることもできる。
【図面の簡単な説明】
【００１７】
【図１】本発明の第１実施形態のジョイントコネクタを示し、（Ａ）は分解斜視図、（Ｂ）は組立状態で下面側から見た斜視図、（Ｃ）は（Ａ）のＣ−Ｃ線断面図である。
【図２】前記ジョイントコネクタを連結する状態を示し、（Ａ）は上面側から見た斜視図、（Ｂ）は下面側から見た斜視図である。
【図３】ジョイントコネクタのジョイントバスバー同士の接続およびジョイントバスバーと電線端末端子との接続状態を示す要部拡大断面図である。
【図４】連結ジョイントコネクタのジョイントバスバーで接続される電線を示す図面である。
【図５】連結ジョイントコネクタのワイヤハーネス搭載状態を示す斜視図である。
【図６】第２実施形態を示す分解斜視図である。
【図７】第２実施形態の連結ジョイントコネクタで形成されるジョイント回路を示す図面である。
【図８】（Ａ）は第３実施形態のジョイントコネクタのハウジングの斜視図、（Ｂ）は（Ａ）のＢ−Ｂ線断面図である。
【図９】第３実施形態で用いるジョイントバスバーの斜視図である。
【図１０】（Ａ）（Ｂ）は従来例を示す斜視図である。
【図１１】（Ａ）（Ｂ）はそれぞれ他の従来例を示す斜視図である。
【発明を実施するための形態】
【００１８】
以下、本発明の実施形態を図面を参照して説明する。
図１乃至図５に第１実施形態を示す。
【００１９】
図１に示すジョイントコネクタ１を図２に示すように複数個を縦方向に連結して連結ジョイントコネクタ１０としている。連結するジョイントコネクタ１は同一形状とし、１つの回路に接続する電線本数に応じて所要個数のジョイントコネクタ１を連結できるようにしている。本実施形態では、図２に示すように４つのジョイントコネクタ１Ａ〜１Ｄを縦列に連結している。
【００２０】
図１に示すように、各ジョイントコネクタ１のコネクタハウジング２（以下、ハウジング２と略す）は、ボックス状の本体部２ａの一端部に下面開口部の電線引出部２ｂを設け、該電線引出部２ｂの両側枠２ｃの先端から上面および左右側面に段状突出部２ｄを設け、該段状突出部２ｄの両側枠から外方へ突出した連結枠２ｅを突設し、各連結枠２ｅにそれぞれロック穴２ｒを設けている。
本体部２ａには他端面２ｆに開口した複数（本実施形態では４つ）の端子収容室２ｇを並列に設けると共に、これら複数の端子収容室２ｇの他端開口を前記電線引出部２ｂ側に向けて開口している。また、本体部２ａの両側外面の他端面２ｆ側には前記ロック穴２ｒに嵌合係止するロック爪２ｓを突設している。
【００２１】
各ジョイントコネクタ１に収容するジョイントバスバー３は、ジョイント部３ａの下端に長さ方向に沿って複数（４本）のオス端子（タブ）３ｂを一定間隔をあけて並列に突設すると共に、ジョイント部３ａの長さ方向の一端からオス端子３ｂの突出方向と反対方向に１本のジョイントバスバーとの接続片３ｃを突設し、該接続片３ｃの先端にメス端子３ｄを突設している。該メス端子３ｄには縦列結合する他のジョイントコネクタ１の１個のオス端子３ｂを挿入して接続できるものとしている。よって、該メス端子３ｄはジョイントする複数の電線Ｗの端末に接続するメス端子ｔと同一の形状としている。該ジョイントバスバー３は導電性金属板を打抜加工した後に折曲加工して形成している。
【００２２】
前記ジョイントバスバー３をハウジング２内に収容し、ジョイント部３ａを並設する端子収容室２ｇの端面に当接させて、複数のオス端子３ｂをそれぞれ端子収容室２ｇに挿入している。この状態で、ジョイント部３ａから突出する接続片３ｃはハウジング２の電線引出部２ｂおよび段状突出部２ｄを通って連結枠２ｅの間に突出させ、一方の連結枠２ｅの内面に沿ってメス端子３ｄを位置させている。
【００２３】
前記ジョイントコネクタ１は、ジョイントバスバー３の電線接続用のオス端子３ｂを４個としているため、１つのジョイントコネクタ１は４本の電線Ｗをジョイント接続することができ、他のジョイントコネクタ１は４つのオス端子３ｂのうち１本のオス端子は他のジョイントバスバーとの連結用となるため、３本の電線Ｗをジョイント接続できる。
【００２４】
本実施形態では１３本の電線Ｗを１つの回路にジョイント接続する必要があるため、図２に示すように、ジョイントコネクタ１を４個（１Ａ〜１Ｄ）用いている。これら４個のジョイントコネクタ１を縦列状態で連結し、図４に示すように、各ジョイントコネクタ１Ａ〜１Ｄ内に収容するジョイントバスバー３（３Ａ〜３Ｄ）を順次接続して、同一回路に前記多数本の電線をジョイント接続している。
【００２５】
即ち、図２中、左端のジョイントコネクタ１Ａには４本の電線Ｗの端末に接続したメス端子ｔを端子収容室２ｇにそれぞれ挿入してジョイントバスバー３のオス端子３ｂと嵌合接続する。該ジョイントコネクタ１Ａに連結するジョイントコネクタ１Ｂ、さらに順次連結するジョイントコネクタ１Ｃ、１Ｄに、ジョイントコネクタ同士を連結する前に、それぞれ電線Ｗの端末に接続したメス端子を各ジョイントコネクタ１の端子収容室２ｇに挿入して、ジョイントバスバー３のオス端子３ｂに接続しておく。右端のジョイントコネクタ１Ｄには、３本の電線Ｗの端末に接続したメス端子をジョイントコネクタ１Ｄに接続しておく。
【００２６】
前記のように、４つのジョイントコネクタ１Ａ〜１Ｄにそれぞれジョイント接続する電線Ｗを接続した状態で、これら４つのジョイントコネクタ１Ａ〜１Ｄを縦列に連結していく。即ち、ジョイントコネクタ１Ａにジョイントコネクタ１Ｂを連結するため、ジョイントコネクタ１Ａのハウジング２の段状突出部２ｄ内にジョイントコネクタ１Ｂのハウジング２の本体部２ａを挿入し、該ジョイントコネクタ１Ｂに接続した電線Ｗを電線引出部２ｂの下面開口を通して引き出す。かつ、ジョイントコネクタ１Ａのジョイントバスバー３のメス端子３ｄにジョイントコネクタ１Ｂのジョイントバスバー３のオス端子３ｂを挿入して嵌合接続する。この状態でジョイントコネクタ１Ｂの本体部２ａの両側壁のロック爪２ｓをジョイントコネクタ１Ａの連結枠２ｅのロック穴２ｒにロック結合する。
【００２７】
これにより、ジョイントコネクタ１Ａと１Ｂのハウジング２同士がロック結合されると共に、ジョイントバスバー３のメス端子３ｄとオス端子３ｂとの嵌合接続でジョイントバスバー同士も電気接続される。また、図２（Ｂ）に示すように、ジョイントコネクタ１Ａに連結するジョイントコネクタ１Ｂに接続した電線Ｗはジョイントコネクタ１Ａと１Ｂの間で、ジョイントコネクタ１Ａの電線引出部２ｂの下面から外方に引き出される。
【００２８】
ジョイントコネクタ１Ｂと１Ｃ、１Ｃと１Ｄも前記と同様に順次ハウジング２をロック結合し、ジョイントバスバー３を端子接続して連結し、各ジョイントバスバー１Ｃ、１Ｄに接続した電線Ｗを電線引出部２ｂより下方へ引き出している。
【００２９】
前記第１実施形態の連結ジョイントコネクタ１０では、４つのジョイントコネクタ１Ａ〜１Ｄを縦列に連結して、１つの回路として接続する必要がある電線をジョイント接続している。同一回路にジョイント接続する電線本数が６本であれば、２個のジョイントコネクタ１を縦列に連結すればよく、ジョイント電線本数が１６本であれば５個のジョイントコネクタ１を縦列で連結すればよい。なお、搭載するワイヤハーネスの外径が大きい場合には、１つのジョイントコネクタに接続できる電線本数、即ち、ジョイントバスバー３から分岐する電線接続用の端子の個数を増加できれば、縦列接続するジョイントコネクタの個数を減少できる。
【００３０】
このように、ジョイント接続する電線本数に応じた個数のジョイントコネクタ１を縦列に連結すればよく、ジョイントコネクタの共用性を高めることができる。かつ、電線挿入方向である縦方向に連結していくため、図５に示すように、ワイヤハースＷ／Ｈの幹線Ｗ／Ｈ−１上に縦列結合した連結ジョイントコネクタを搭載でき、粘着テープＴを巻き付けてワイヤハーネス幹線に固着することで、連結ジョイントコネクタのワイヤハーネスへの取り付けが容易になる。
なお、ワイヤハーネスの幹線Ｗ／Ｈ−１から分岐する枝線Ｗ／Ｈ−２上に連結ジョイントコネクタ１０を搭載する方が都合が良い場合には、連結ジョイントコネクタ１０の幅が小さいため、図５中に２点鎖線で示す枝線上の取付位置Ｐ２に搭載する事も可能となる。
【００３１】
図６および図７に第２実施形態の連結ジョイントコネクタを示す。
第２実施形態のジョイントコネクタ１のハウジング２の形状は第１実施形態と同一としており、よって、同一部号を付して説明を省略する。各ジョイントコネクタ１のハウジング２に挿入するジョイントバスバー３は、ジョイント接続するグループが異なる複数グループであっても対応できるようにしている。即ち、１つのジョイントコネクタ１に収容するジョイントバスバー３をジョイント接続する電線本数に応じて１本または２本に分割している。
【００３２】
図６に示すように、ジョイントコネクタ１Ａは第１実施形態と同様に、４つのオス端子３ｂを並列した１つのジョイントバスバー３を収容している。
【００３３】
該ジョイントコネクタ１Ａに縦列連結するジョイントコネクタ１Ｂ（図７に示す）では、２本のジョイントバスバー３０と３１を用い、ジョイントバスバー３０はジョイント部３０ａから２本のオス端子３０ｂを突設すると共に１つのジョイントバスバー接続用のメス端子３０ｄを突設している。ジョイントバスバー３１も同様としジョイント部３１ａから２本のオス端子３１ｂを突設すると共に１つのジョイントバスバー接続用のメス端子３１ｄを突設しているが、該メス端子３１ｄはジョイントバスバー３０のメス端子３０ｄとは左右対称位置に設けている。
【００３４】
ジョイントコネクタ１Ｂに縦列連結するジョイントコネクタ１Ｃでは、１本のジョイントバスバー３２を収容し、ジョイント部３２ａから３つのオス端子３２ｂを突設し、１つのメス端子３２ｄを突設している。該ジョイントバスバー３２の１つのオス端子３２ｂはジョイントコネクタ１Ｂのメス端子３１ｄと嵌合接続してジョイントしているが、ジョイントバスバー３２のメス端子３２ｄはジョイントコネクタ１Ｄのジョイントバスバー３３と接続していない。
前記ジョイントコネクタ１Ｃと連結するジョイントコネクタ１Ｄには１本のジョイントバスバー３３を収容し、そのジョイント部３３ａから突出した３つのオス端子３３ｂを突設すると共にメス端子３３ｄをジョイントコネクタ１Ｅのオス端子と嵌合している。
【００３５】
前記５つのジョイントコネクタ１Ａ〜１Ｅは第１実施形態と同様にハウジング２同士をロック結合して縦列状態に連結している。
前記ジョイントコネクタ１Ａにジョイントバスバー３、ジョイントコネクタ１Ｂに２個のジョイントバスバー３０と３１を収容し、図７に示すように、ジョイントバスバー３とジョイントバスバー３０とを接続することで、５本の電線を第１ジョイントグループとして接続している。また、ジョイントコネクタ１Ｂの前記ジョイントバスバー３１とジョイントコネクタ１Ｃのジョイントバスバー３２とを接続して４本の電線を第２ジョイントグループとして接続している。ジョイントコネクタ１Ｃとジョイントコネクタ１Ｄとはハウジング２同士をロック結合しているが、ジョイントコネクタ１Ｃに収容したジョイントバスバー３２とジョイントコネクタ１Ｄに収容したジョイントバスバー３３とは接続していない。該ジョイントコネクタ１Ｄのジョイントバスバー３３はジョイントコネクタ１Ｅに収容したジョイントバスバー３４と接続して６本の電線を第３ジョイントグループとして接続している。
【００３６】
前記のように、縦列に連結する５個の連結ジョイントコネクタで、第１〜第３ジョイントグループを設けることができる。このように、ジョイントコネクタ１のハウジング２は同一形状として共用化し、各ジョイントコネクタ１のハウジング２に収容するジョイントバスバーの個数および該ジョイントバスバーに突設する電線接続用端子の個数、ジョイントバスバー接続用の端子の形成位置を変えるだけで、任意の本数の電線をジョイント接続できると共に、任意の個数のジョイントグループを形成することができる。
【００３７】
図８および図９に第３実施形態の連結ジョイントコネクタを示す。
前記第１、第２実施形態では、縦列に連結する各ジョイントコネクタは電線端末の端子を１列に設けた端子収容室に挿入して接続する形態であったが、第３実施形態では、１つのジョイントコネクタ４０のハウジング４１に上下２段で８個の端子収容室４１ｇを設けている。
【００３８】
ジョイントコネクタ４０に収容するジョイントバスバーは、第２実施形態と同様に、２本に分割し、ジョイントバスバー４５と４６とを収容している。
ジョイントバスバー４５はジョイント部４５ａの上端から折曲部４５ｂを設け、折曲部４５ｂの下端から３個の電線接続用のオス端子４５ｃを並列に突設している。このオス端子４５ｃと所要間隔をあけた下方側には、ジョイント部４５ａの下端から３個のオス端子４５ｄを並列に突設し、オス端子４５ｃは上段の端子収容室に挿入する端子、４５ｄは下段の端子収容室に挿入する端子としている。また、ジョイント部４５ａの長さ方向の一端側から反対方向へ屈折し、その先端側にジョイントバスバーの接続用のメス端子４５ｆを設けている。
ジョイントバスバー４６はジョイント部４６ａの上下からオス端子４６ｃと４６ｄを突設し、反対側にジョイントバスバー接続用のメス端子４６ｆを設けている。
【００３９】
ハウジング４１にジョイントバスバー４５、４６を挿入したジョイントコネクタ４０と、同一形状としたハウジング４１に、図９に示すジョイントバスバー４７を挿入して形成した他のジョイントコネクタ４０とを第１実施形態と同様に連結している。
ジョイントバスバー４７は上下段に２個づつ電線接続用のオス端子４７ｃ、４７ｄをジョイント部４７ａより突設している。
ハウジング４１内に収容するジョイントバスバーは図９の形状に限定されず、図６に示すような多種類のジョイントバスバーをジョイント接続する電線本数に応じて用いている。
【００４０】
このように、縦列で連結するジョイントコネクタのハウジング４１は同一形状で共用化し、連結するジョイントコネクタに収容するジョイントバスバーは、第２実施形態と同様に、ジョイント部から所要本数の電線接続用のオス端子と、１つのジョイントバスバー接続用のメス端子を突設している。
【００４１】
第３実施形態では、ジョイントコネクタ４０のハウジング４１に上下多段に端子収容室を設けているため、１つのジョイントコネクタ４０で、横幅の増大を抑制しながら、ジョイント接続できる電線本数を増加させることができる。よって、ジョイントグループの個数および各グループのジョイント接続する電線本数の増減に対応することができ、かつ、多様な電線のジョイント接続を連結するジョイントコネクタの個数を増加させずに達成することができる。
【００４２】
上下複数段で端子収容室を設けるジョイントコネクタに、第１実施形態と同様に、同一形状のジョイントバスバーを収容して、１つのジョイントグループを形成する連結ジョイントコネクタとしても良いことは言うまでもない。
【符号の説明】
【００４３】
１（１Ａ、１Ｂ、…）  ジョイントコネクタ
２  ハウジング
２ａ  本体部
２ｂ  電線引出部
２ｄ  段状突出部
２ｅ  連結枠
２ｇ  端子収容室
２ｒ  ロック穴
２ｓ  ロック爪
３  ジョイントバスバー
３ａ  ジョイント部
３ｂ  電線接続用のオス端子
３ｄ  ジョイントバスバー接続用のメス端子
Ｗ  電線
ｔ  端子
【図１】
2013037819.tif 000003
【図２】
2013037819.tif 000004
【図３】
2013037819.tif 000005
【図４】
2013037819.tif 000006
【図５】
2013037819.tif 000007
【図６】
2013037819.tif 000008
【図７】
2013037819.tif 000009
【図８】
2013037819.tif 000010
【図９】
2013037819.tif 000011
【図１０】
2013037819.tif 000012
【図１１】
2013037819.tif 000013